(57)【要約】【課題】  手や衣服等を汚すことなく、筆洗いを簡単に行えるようにしたを筆洗浄具を提供する。【解決手段】  手や洗浄容器本体１の内部に、洗浄皿２を収納して配置する。洗浄容器本体１は、その底面板に排水口１３を有すると共に、その側面に筆挿入口１４を有する。洗浄容器本体１に上部ホルダ３を配置し、ボトル又は水道の蛇口から水を供給する。筆挿入口１４から洗浄皿２に筆４を挿入し、洗浄容器本体１の上部から水を、洗浄皿２に落下させ、洗浄皿２で筆を洗浄し、洗浄皿２からの洗浄水を排水口１３から排出させる。筆４を筆挿入口１４から洗浄皿２内に挿入し、筆４を洗浄皿２上に擦りつけることで、筆４を洗浄できる。洗浄皿２が洗浄容器本体１内に配置されているため、筆４の洗浄水が周囲に飛び散ることがなく、手や衣服等を汚すことがない。【選択図】        図１
0003113244.tif 000002
【実用新案登録請求の範囲】
【請求項１】
底部に滞留する水を排出する排水口を有すると共に、側面に筆挿入口を有する洗浄容器本体と、
前記洗浄容器本体の内部に配置される洗浄皿とからなり、
前記筆挿入口から前記洗浄皿に筆を挿入し、前記洗浄容器本体に上部から水を供給し、前記洗浄容器本体の上部からの水を前記洗浄皿に落下させ、前記洗浄皿で筆を洗浄し、前記洗浄皿からの洗浄水を前記排水口から排出させる
ようにしたことを特徴とする筆洗浄具。
【請求項２】
更に、前記洗浄容器本体の上側に、開口を有する上部ホルダを設けるようにしたことを特徴とする請求項１に記載の筆洗浄具。
【請求項３】
前記洗浄皿の底面に複数の突起を設けるようにしたことを特徴とする請求項１に記載の筆洗浄具。
【請求項４】
前記洗浄皿の側面の下縁に複数の孔を設けるようにしたことを特徴とする請求項１に記載の筆洗浄具。
【請求項５】
前記洗浄皿の底面を、前記複数の孔が下側を向くように傾斜を持って配置するようにしたことを特徴とする請求項４に記載の筆洗浄具。
【請求項６】
前記洗浄容器本体の底面を、前記排水口が下側を向くように傾斜を持って配置するようにしたことを特徴とする請求項１に記載の筆洗浄具。
【請求項７】
前記筆挿入口に、前記筆挿入口の穴を小さく絞り込む部材を設けるようにしたことを特徴とする請求項１に記載の筆洗浄具。
【請求項８】
前記洗浄容器本体の側面に、前記筆を吊り下げるためのフックを設けるようにしたことを特徴とする請求項１に記載の筆洗浄具。
【請求項９】
前記洗浄容器本体内に、硯を保持する係止突起と、前記硯が横方向に動くのを規制する係止突起を設けるようにしたことを特徴とする請求項１に記載の筆洗浄具。
【考案の詳細な説明】
【技術分野】
【０００１】
本考案は、書道などにおいて用いる筆を洗うための筆洗浄具に関するもので、特に、手や衣服を汚さずに筆を洗浄できるようにしたものに関する。
【背景技術】
【０００２】
毛筆では、筆をきれいに洗い、保守、管理することが不可欠である。つまり、最近では、毛筆用の墨として、専ら墨汁が使われている。特に、にかわを主成分とした墨汁を使った場合、使用した直後に、筆を水で良くを洗っておかないと、筆が固まってしまい、その後、筆が使用できなくなってしまう。また、硯に残った墨汁をそのままにしておくと、墨汁が固まって付着してしまい、落ちなくなってしまう。
【０００３】
筆を洗う作業は、従来では、洗い場で、水道の蛇口からの水を筆に直接かけて、筆に付着している墨を洗い落している。この際、筆に付着した墨を良く洗い落すためには、使用者は筆先を手でもむか、あるいは、筆先を流し台に押し付けるようにしている。
【０００４】
また、特許文献１には、筆に付着していた汚れを含む水をカップ外に排出するための排出孔を筆洗い用カップに設け、使用時には、これを例えば洗い場の流し台の上に置き、これに水を流入し、筆を入れて、筆を例えば回すことにより、筆に付着している汚れを落とすことができるようにしたものが開示されている。
【特許文献１】実開平５−９９８６号公報
【考案の開示】
【考案が解決しようとする課題】
【０００５】
上述のように、毛筆では、筆の保守、管理が大変であり、毛筆の練習が終わったら、筆を良く洗っておく必要がある。また、筆を洗う際に、手が汚れたり、水が跳ねて、手や衣服が汚れたりしまうことがある。
【０００６】
特許文献１に示されるものでは、筆を洗う際に、手や衣服を汚すことはなくなる。しかしながら、特許文献１のものは、カップの中に筆を入れて、筆を回すことにより、筆に付着している汚れを落とすものであり、筆に付着した墨をきれいに落とすことができない。筆に付着した墨をきれいに落とすには、カップの底に筆を擦りつけて洗う必要があるが、特許文献１のものでは、筆をカップの底に擦りつけるようにすると、筆の部分ばかりでなく、柄の部分も水の中に入ってしまい、手を汚すことになる。
【０００７】
本考案は、上述の課題を鑑み、手や衣服等を汚すことなく、筆洗いを簡単に行えるようにしたを筆洗浄具を提供することを目的とする。
【課題を解決するための手段】
【０００８】
上述の課題を解決するために、本考案の筆洗浄具は、底部に滞留する水を排出する排水口を有すると共に、側面に筆挿入口を有する洗浄容器本体と、洗浄容器本体の内部に配置される洗浄皿とからなり、筆挿入口から洗浄皿に筆を挿入し、洗浄容器本体に上部から水を供給し、洗浄容器本体の上部からの水を洗浄皿に落下させ、洗浄皿で筆を洗浄し、洗浄皿からの洗浄水を排水口から排出させるようにしたことを特徴とする。
【０００９】
好ましくは、更に、洗浄容器本体の上側に、開口を有する上部ホルダを設けるようにしたことを特徴とする。
【００１０】
好ましくは、洗浄皿の底面に複数の突起を設けるようにしたことを特徴とする。
【００１１】
好ましくは、洗浄皿の側面の下縁に複数の孔を設けるようにしたことを特徴とする。
【００１２】
好ましくは、洗浄皿の底面を、複数の孔が下側を向くように傾斜を持って配置するようにしたことを特徴とする。
【００１３】
好ましくは、洗浄容器本体の底面を、排水口が下側を向くように傾斜を持って配置するようにしたことを特徴とする。
【００１４】
好ましくは、筆挿入口に、筆挿入口の穴を小さく絞り込む部材を設けるようにしたことを特徴とする。
【００１５】
好ましくは、洗浄容器本体の側面に、筆を吊り下げるためのフックを設けるようにしたことを特徴とする。
【００１６】
好ましくは、前記洗浄容器本体内に、硯を保持する係止突起と、前記硯が横方向に動くのを規制する係止突起を設けるようにしたことを特徴とする。
【考案の効果】
【００１７】
本考案によれば、底部に滞留する水を排出する排水口を有すると共に、側面に筆挿入口を有する洗浄容器本体と、洗浄容器本体の内部に配置される洗浄皿とからなり、筆挿入口から洗浄皿に筆を挿入し、洗浄容器本体に上部から水を供給し、洗浄容器本体の上部からの水を洗浄皿に落下させ、洗浄皿で筆を洗浄し、洗浄皿からの洗浄水を排水口から排出させるようにしている。このため、筆を筆挿入口から洗浄皿内に挿入し、筆を洗浄皿上に擦りつけて、筆をきれいに洗浄することができる。そして、洗浄皿が洗浄容器本体内に配置されているため、筆の洗浄水が周囲に飛び散ることがなく、手や衣服等を汚すことがない。
【００１８】
本考案によれば、更に、洗浄容器本体の上側に、開口を有する上部ホルダを設けるようにしている。この開口には、水の入ったボトルや受水具を固定することができる。これにより、上部ホルダに水の入ったボトルを逆さに配置して、ボトルからの水を洗浄容器本体に供給することができる。また、上部ホルダにロート状の受水具を配置して、洗浄容器本体に、水道からの水を供給することもできる。
【００１９】
本考案によれば、洗浄皿の底面に複数の突起を設けるようにしているので、筆を突起上に押し当てて筆を擦りつければ、筆の腰の部分の墨もよりきれいに洗浄することができる。
【００２０】
本考案によれば、洗浄皿の側面の下縁に複数の孔を設けるようにしているので、洗浄皿に溜まった水が孔を介して排水される。このため、筆を洗い終わった後に、洗浄皿に溜まった水を捨てる必要がなく、清掃が不要になる。
【００２１】
本考案によれば、洗浄皿の側面の下側に複数の孔を設けるようにしているので、洗浄皿に溜まった水を確実に排水できる。
【００２２】
本考案によれば、洗浄皿の底面を、複数の孔が下側を向くように傾斜を持って配置するようにしているので、洗浄皿に溜まった水を確実に排水できる。
【００２３】
本考案によれば、洗浄容器本体の底面を、排水口が下側を向くように傾斜を持って配置するようにしているので、洗浄容器本体内に溜まった水を確実に排水できる。
【００２４】
本考案によれば、筆挿入口に、筆挿入口の穴を小さく絞り込む部材を設けるようにしているので、筆の水を絞ることができる。
【００２５】
本考案によれば、洗浄容器本体の側面に、筆を吊り下げるためのフックを設けるようにしているので、洗浄の終わった筆を、吊り下げて乾燥させることができる。
【００２６】
本考案によれば、前記洗浄容器本体内に保持する係止突起と、硯が横方向に動くのを規制する係止突起を設けるようにしているので、筆ばかりでなく、硯を洗浄することができる。
【考案を実施するための最良の形態】
【００２７】
以下、本考案の実施の形態について図面を参照しながら説明する。図１は、本考案の第１実施形態を示す分解斜視図である。図１において、符号１は洗浄容器本体、符号２は洗浄皿、符号３は上部ホルダ部である。
【００２８】
洗浄容器本体１は、その上部から水を供給し、その内部に保持された洗浄皿２で筆を洗い、その底部の排水口１３から水を排出するものである。この例では、洗浄容器本体１は直方体の形状であり、底面板１１と、前後の側面板１２ａ及び１２ｂと、左右の側面板１２ｃ及び１２ｄとからなる。洗浄容器本体１は、中の筆の洗浄状態が分かるように、例えば、透明の合成樹脂により形成される。勿論、洗浄容器本体１を着色材を用いて形成するようにしても良い。
【００２９】
側面板１２ｃの下縁に、洗浄容器本体１に溜まった水を排出するための排水口１３が設けられる。また、側面板１２ａに、筆挿入口１４が形成される。側面板１２ｂ、１２ｃ、１２ｄの内側には、洗浄皿２を保持するための突出片１５ａ、１５ｂ、１５ｃがそれぞれ取り付けられる。また、側面板１２ｂ、１２ｃ、１２ｄの上縁には、上部ホルダ３を保持するためのリブ１６ａ、１６ｂ、１６ｃがそれぞれ形成される。また、洗浄容器本体１の底面には、脚部１９ａ、１９ｂ、１９ｃ、１９ｄが設けられる。
【００３０】
洗浄皿２は、筆挿入口１４から挿入された筆をその底面板２１に擦りつけて、筆を洗浄するもので、底面板２１と、前後の側面板２２ａ及び２２ｂと、左右の側面板２２ｃ及び２２ｄとからなる。また、側面板２２ｂ、２２ｃ、２２ｄの上縁には、外方に突出する突出片２３ａ、２３ｂ、２３ｃがそれぞれ形成されている。また、側面板２２ａには、洗浄皿２から溢れた水を落下させるための凹部２５が設けられる。
【００３１】
上部ホルダ３は、洗浄容器本体１内に水を導くためのホルダである。筆を洗浄するための水としては、ボトルに入った水と、水道の蛇口からの水とを使うことができる。上部ホルダ３は、ホルダ板３１と、側面板３２ａ、３２ｂ、３２ｃ、３２ｄとからなる。また、ホルダ板３１の中心には、開口３３が形成される。開口３３は、ボトルの水を利用して洗浄する場合には、ボトルを保持するのに利用され、蛇口の水を使って洗浄する場合には、ロート状のホルダを保持するのに利用される。
【００３２】
筆を洗浄する時には、図２に示すように、洗浄容器本体１内に洗浄皿２が配置され、洗浄容器本体１の上面に上部ホルダ３が配置される。すなわち、洗浄容器本体１内に洗浄皿２が収納され、洗浄容器本体１の突出片１５ａ、１５ｂ、１５ｃ上に、洗浄皿２の突出片２３ａ、２３ｂ、２３ｃが載置され、洗浄容器本体１内に洗浄皿２が配置される。また、洗浄容器本体１のリブ１６ａ、１６ｂ、１６ｃ上に、上部ホルダ３のホルダ板３１が載置され、洗浄容器本体１の上面に上部ホルダ３が配置される。
【００３３】
図３及び図４は、ボトルの水を利用して筆を洗浄する場合の洗浄の様子を示すものである。
【００３４】
筆を洗浄するための水としてボトルの水を使う場合には、図３に示すように、水の入ったボトル５を逆さにして、上部ホルダ３の開口３３に係合させる。また、排水口１３には、ホース６を連結し、排水口１３からの水を排出できるようにしておく。そして、筆４を筆挿入口１４から洗浄皿２内に挿入する。ボトル５としては、市販の飲料水のＰＥＴ(PolyEthylene Terephthalate resin)ボトルを利用することができる。勿論、ボトル５として、専用のボトルを用意するようにしても良い。
【００３５】
図４に示すように、ボトル５を逆さにして、上部ホルダ３の開口３３に係合させると、ボトル５内の水がボトル口５ａから落下する。ボトル口５ａの水の抵抗により、ボトル５の水は一度に落下することはなく、徐々に落下していく。ボトル５から落下した水は、洗浄皿２の上に置いた筆４に当たる。ここで、筆４を洗浄皿２上に擦りつければ、筆４に付いた墨が洗浄されることになる。洗浄皿２に水が溜まると、洗浄水が洗浄皿２から溢れ、この洗浄水は、洗浄容器本体１内に落下する。そして、この洗浄水は、洗浄容器本体１の下側の排水口１３から排出される。
【００３６】
図５及び図６は、蛇口からの水を利用して筆を洗浄する場合の洗浄の様子を示すものである。
【００３７】
筆を洗浄するための水として蛇口の水とを使う場合には、図５に示すように、上部ホルダ３の開口３３にロート状の受水具８を係合させる。そして、受水具８により水道の蛇口から水を供給し、筆４を筆挿入口１４から洗浄皿２内に挿入する。
【００３８】
図６に示すように、上部ホルダ３の開口３３にロート状の受水具８を係合させ、受水具８により水道の蛇口９からの水を供給すると、受水具８の落下口８ａから水が落下する。落下口８ａの水の抵抗により、受水具８からの水は一斉に落下することはなく、徐々に落下していく。受水具８から落下した水は、洗浄皿２の上に置いた筆４に当たる。ここで、筆４を洗浄皿２上に擦りつければ、筆４に付いた墨が洗浄されることになる。洗浄皿２に水が溜まると、洗浄水が洗浄皿２から溢れ、この洗浄水は、洗浄容器本体１内に落下する。そして、この洗浄水は、洗浄容器本体１の下側の排水口１３から排出される。
【００３９】
以上説明したように、本考案の第１実施形態の筆洗浄具では、洗浄容器本体１の上部から水を供給し、筆４を筆挿入口１４から洗浄皿２内に挿入し、筆４を洗浄皿２上に擦りつけて筆４を洗浄し、この洗浄水を側面板１２ｃの下側の排水口１３から排出するようにしている。このような構成では、使用者は、筆４を筆挿入口１４から洗浄皿２内に挿入し、筆４を洗浄皿２上に擦りつけることで、筆４をきれいに洗浄することができる。そして、洗浄皿２が洗浄容器本体１内に配置されているため、筆４の洗浄水が周囲に飛び散ることがなく、手や衣服等を汚すことがない。
【００４０】
第２実施形態．
図７は、本考案の第２実施形態における洗浄皿２を示すものである。この実施形態では、洗浄皿２の底面板２１に、内方に突出する複数の突起２４を設けるようにしている。洗浄皿２では、前述したように、筆４を洗浄皿２上に擦りつけて洗浄している。この実施形態では、このように、内方に突出する複数の突起２４が設けられるため、筆４を突起２４上に押し当てて擦りつければ、筆４の腰の部分の墨をよりきれいに洗浄することができる。他の構成については、前述の第１実施形態と同一であり、その説明を省略する。
【００４１】
第３実施形態。
【００４２】
図８〜図１０は、本考案の第３実施形態を示すものである。この実施形態は、洗浄具自体の清掃を簡単に行えるようにしたものである。
【００４３】
本考案の第３実施形態では、図８に示すように、洗浄皿２の前方の側面板２２ａの下縁に、複数の孔２７が設けられる。そして、突出片１５ａ、１５ｂ、１５ｃに、前方に向かうに従って下を向くように、傾斜が付けられている。このため、洗浄容器本体１内に洗浄皿２を配置すると、洗浄皿２は、孔２７が設けられている側に向かって下を向くように、傾斜することになる。また、脚部１９ａ、１９ｂに対して、脚部１９ｃ、１９ｄの高さが高くなっている。このため、洗浄容器本体１は、排水口１３に向かって下を向くように、傾斜することになる。他の構成については、前述の第１及び第２実施形態と同一であり、その説明を省略する。
【００４４】
このような構成では、図９に示すように、孔２７が下側を向くように洗浄皿２が傾斜を持って配置されているので、洗浄皿２に溜まった洗浄水は、孔２７から洗浄容器本体１に確実に落下する。
【００４５】
そして、図１０に示すように、排水口１３側が下を向くように底面板１１が傾斜を持って配置されているので、洗浄容器本体１に溜まった洗浄水は、排水口１３から確実に外に流される。
【００４６】
このように、本考案の第３実施形態では、洗浄皿２に残った洗浄水や、洗浄容器本体１に溜まった洗浄水は、確実に排出されることになる。このため、筆洗いが終了した後、洗浄皿２や洗浄容器本体１に溜まった洗浄水を外に排出しなくても、洗浄皿２や洗浄容器本体１に溜まった洗浄水は自然に排出され、洗浄容器本体１や洗浄皿２の清掃は殆ど不要となる。
【００４７】
なお、上述の例では、孔２７が下側を向くように洗浄皿２が傾斜させているが、洗浄皿２の底面板２１のみ傾斜させるようにしても良い。また、上述の例では、排水口１３側が下を向くように、洗浄容器本体１全体を傾斜させているが、底面板１１のみ、傾斜させるようにしても良い。
【００４８】
第４実施形態．
図１１及び図１２は、本考案の第４実施形態を示すものである。この実施形態では、筆挿入口１４に、筆挿入口１４の穴を小さく絞り込む部材を設けるようにしたものである。図１１に示すように、この実施形態では、側面板１２ａの上部に、板材４２が揺動自在に枢支される。板材４２の下縁には、凹部４１が設けられている。
【００４９】
側面板１２ａを矢印Ａ１方向に動かし、板材４２を側面板１２ａ上に重ねると、図１２に示すように、筆挿入口１４は、板材４２により殆ど閉じられ、筆挿入口１４と凹部４１とが重なる部分１４ａのみが開口となる。したがって、板材４２を側面板１２ａ上に配置すると、筆挿入口１４の穴が小さく絞り込まれたことになる。ここで、筆４を部分１４ａに挟み込み、筆４を引けば、筆４に含まれた水を絞り出すことができる。
【００５０】
なお、ここでは、凹部４１を有する板材４２を側面板１２ａに枢支しているが、凹部４１を有する板材４２を側面板１２ａ上に摺動自在に配置し、凹部４１を有する板材４２を側面板１２ａ上で上下にスライドさせて、筆挿入口１４の径を小さく絞り込めるようにしても良い。他の構成については、前述の第１〜第３実施形態と同一であり、その説明を省略する。
【００５１】
第５実施形態．
図１３は、本考案の第５実施形態を示すものである。この実施形態は、側面板１２ｄの上部に、フック５０を取り付け、洗浄の終わった筆４を、洗浄容器本体１の側面に吊り下げられるようにしたものである。洗浄の終わった筆４を洗浄容器本体１の側面に吊り下げておけば、筆４を乾かすことができると。他の構成については、前述の第１〜第４実施形態と同一であり、その説明を省略する。
【００５２】
なお、ここでは、洗浄容器本体１の側面板１２ｄにフック５０を取り付けているが、洗浄容器本体１の他の側面板１２ａ、１２ｂ、１２ｃにフック５０を取り付けるようにしても良い。
【００５３】
第６実施形態．
図１４及び図１５は、本考案の第５実施形態を示すものである。この実施形態では、筆４と共に、硯７の洗浄も行えるようにしたものである。図１４に示すように、この実施形態では、洗浄容器本体１の底面板１１に、係止突起５１が設けられる。また、側面板１２ａに、係止突起５２ａ及び５２ｂが設けられる。そして、図１５に示すように、筆４と共に、硯７が洗浄容器本体１内に収納される。すなわち、係止突起５１により、硯７が斜めに立てかけられた状態で、洗浄容器本体１内に配置される。また、係止突起５２ａ及び５２ｂにより、硯７が横に動くことが防止される。他の構成については、前述の第１〜第５実施形態と同一であり、その説明を省略する。
【００５４】
この実施形態では、図１５に示すように、上部ホルダ３のボトル５から落下した水は、洗浄皿２に落下し、更に、硯７に落下して、洗浄容器本体１の底面板１１上に落下し、側面板１２ｃの下側の排水口１３から排出される。このため、筆４と共に硯７の洗浄を行うことができる。なお、蛇口からの水を使って洗浄する場合も同様である。
【００５５】
本考案は、上述した実施形態に限定されるものではなく、この考案の要旨を逸脱しない範囲内で様々な変形や応用が可能である。例えば、この例では、洗浄容器本体１は直方体としているが、洗浄容器本体１を円筒形としても良い。
【産業上の利用可能性】
【００５６】
本考案は、書道などにおいて用いる筆を洗うための筆洗浄具として用いられる他、水彩画の筆を洗うための筆洗浄具として用いることが可能である。
【図面の簡単な説明】
【００５７】
【図１】本考案の第１実施形態の分解斜視図である。
【図２】本考案の第１実施形態の構成を示す斜視図である。
【図３】本考案の第１実施形態において、洗浄水としてボトルを用いる場合の説明に用いる分解斜視図である。
【図４】本考案の第１実施形態において、洗浄水としてボトルを用いる場合の説明に用いる断面図である。
【図５】本考案の第１実施形態において、洗浄水として蛇口からの水を用いる場合の説明に用いる分解斜視図である。
【図６】本考案の第１実施形態において、洗浄水として蛇口からの水を用いる場合の説明に用いる断面図である。
【図７】本考案の第２実施形態の分解斜視図である。
【図８】本考案の第３実施形態の分解斜視図である。
【図９】本考案の第３実施形態の説明に用いる断面図である。
【図１０】本考案の第３実施形態の説明に用いる断面図である。
【図１１】本考案の第４実施形態の分解斜視図である。
【図１２】本考案の第４実施形態におけるの筆挿入口の絞り込みの説明図である。
【図１３】本考案の第５実施形態の分解斜視図である。
【図１４】本考案の第６実施形態の分解斜視図である。
【図１５】本考案の第６実施形態の説明に用いる断面図である。
【符号の説明】
【００５８】
１  洗浄容器本体
２  洗浄皿
３  上部ホルダ
４  筆
６  ホース
７  硯
８  受水具
９  蛇口
１１  底面板
１２ａ、１２ｂ、１２ｃ、１２ｄ  側面板
１３  排水口
１４  筆挿入口
１５ａ、１５ｂ、１５ｃ、１５ｄ  突出片
１６ａ、１６ｂ、１６ｃ、１６ｄ  リブ
１９ａ、１９ｂ、１９ｃ、１９ｄ  脚部
２１  底面板
２２ａ、２２ｂ、２２ｃ、２２ｄ  側面板
２３ａ、２３ｂ、２３ｃ、２３ｄ  突出片
２４  突起
２５  凹部
２７  孔
３１  ホルダ板
３２ａ、３２ｂ、３２ｃ、３２ｄ  側面板
３３  開口
４１  凹部
４２  板材
５０  フック
５１  係止突起
５２ａ、５２ｂ  係止突起
【図１】
0003113244.tif 000003
【図２】
0003113244.tif 000004
【図３】
0003113244.tif 000005
【図４】
0003113244.tif 000006
【図５】
0003113244.tif 000007
【図６】
0003113244.tif 000008
【図７】
0003113244.tif 000009
【図８】
0003113244.tif 000010
【図９】
0003113244.tif 000011
【図１０】
0003113244.tif 000012
【図１１】
0003113244.tif 000013
【図１２】
0003113244.tif 000014
【図１３】
0003113244.tif 000015
【図１４】
0003113244.tif 000016
【図１５】
0003113244.tif 000017